(57)【要約】【課題】振動する響板の振幅が大きい箇所が譜面板で隠れないようにし、響板の放音が譜面板によって妨げられにくくして、放音効率を高める。【解決手段】押鍵部ＫＢａよりも後方であって響板３５の直上に譜面台装置６０が配設される。譜面台装置６０の譜面板６１は、傾倒状態においては響板３５の上面に平行に近接対向する。響板３５の下面には、トランスデューサＴｒが配設され、響板３５が加振（励振）されることで音響が発生する。トランスデューサＴｒＬ、ＴｒＲは、響板３５における、平面視において傾倒状態の譜面板６１に対して重ならない位置に配設される。【選択図】図１
2010145601.tif 000002
【特許請求の範囲】
【請求項１】
鍵盤部が配設された楽器本体と、
譜面板を有し、前記楽器本体において前記鍵盤部の押鍵部よりも後方に配設された譜面台装置と、
前記譜面板の下方において傾倒状態の前記譜面板に対向する部分を有して前記楽器本体に配設された響板と、
前記響板に配設され、供給される楽音信号に従って前記響板を励振することで前記響板の振動による音響を発生させる加振器と、
前記楽音信号を前記加振器に供給する楽音信号供給手段とを有し、
前記加振器は、前記響板における、平面視において傾倒状態の前記譜面板に対して重ならない位置に配設されたことを特徴とする電子鍵盤楽器。
【請求項２】
前記鍵盤部の前記押鍵部よりも後方で且つ前記響板の上方において、前記響板に対向して前記楽器本体に配設された燭台をさらに有し、前記加振器は、前記響板における、平面視において前記燭台に対して重ならない位置に配設されたことを特徴とする請求項１記載の電子鍵盤楽器。
【請求項３】
前記加振器は、平面視において前記譜面台装置と前記燭台との中間位置に配設されたことを特徴とする請求項２記載の電子鍵盤楽器。
【請求項４】
受け持つ周波数帯域が前記響板とは異なっているスピーカが、前記響板より後方において前記楽器本体に配設されたことを特徴とする請求項１〜３のいずれか１項に記載の電子鍵盤楽器。
【請求項５】
受け持つ周波数帯域が前記響板とは異なっているスピーカが、前記譜面台装置より後方において前記楽器本体に配設されたことを特徴とする請求項１〜４のいずれか１項に記載の電子鍵盤楽器。
【請求項６】
鍵盤部が配設された楽器本体と、
譜面板を有し、前記楽器本体において前記鍵盤部の押鍵部よりも後方に配設された譜面台装置と、
前記譜面台装置の左右少なくとも一側において前記楽器本体に配設された響板と、
前記響板に配設され、供給される楽音信号に従って前記響板を励振することで前記響板の振動による音響を発生させる加振器と、
前記楽音信号を前記加振器に供給する楽音信号供給手段とを有することを特徴とする電子鍵盤楽器。
【発明の詳細な説明】
【技術分野】
【０００１】
本発明は、響板を振動させて音響を発生させる電子鍵盤楽器に関する。
【背景技術】
【０００２】
従来、下記特許文献１に示されるように、響板に設けた加振器に楽音信号を供給し、響板を振動させることにより音響を発生させるようにした電子鍵盤楽器が知られている。
【０００３】
この電子鍵盤楽器では、鍵盤部の押鍵部よりも後方において、グランドピアノにおける響板の配設位置に相当する領域に響板を配設している。
【特許文献１】特開２００７−０４７２７３号公報
【発明の開示】
【発明が解決しようとする課題】
【０００４】
一般に、鍵盤楽器には、譜面台が必要である。しかしながら、上記特許文献１の楽器では、譜面台の配設については開示されていない。響板を設けた電子鍵盤楽器に譜面台を配設する場合は、最適な配設位置についても検討する必要がある。
【０００５】
本発明は上記従来技術の問題を解決するためになされたものであり、その目的は、響板の放音が譜面板によって妨げられにくくして、放音効率を高めることができる電子鍵盤楽器を提供することにある。
【課題を解決するための手段】
【０００６】
上記目的を達成するために本発明の請求項１の電子鍵盤楽器は、鍵盤部（ＫＢ）が配設された楽器本体（３０）と、譜面板（６１）を有し、前記楽器本体において前記鍵盤部の押鍵部（ＫＢａ）よりも後方に配設された譜面台装置（６０）と、前記譜面板の下方において傾倒状態の前記譜面板に対向する部分を有して前記楽器本体に配設された響板（３５）と、前記響板に配設され、供給される楽音信号に従って前記響板を励振することで前記響板の振動による音響を発生させる加振器（ＴｒＬ、ＴｒＲ）と、前記楽音信号を前記加振器に供給する楽音信号供給手段（７１、１４）とを有し、前記加振器は、前記響板における、平面視において傾倒状態の前記譜面板に対して重ならない位置に配設されたことを特徴とする。
【０００７】
好ましくは、前記鍵盤部の前記押鍵部よりも後方で且つ前記響板の上方において、前記響板に対向して前記楽器本体に配設された燭台（３９）をさらに有し、前記加振器は、前記響板における、平面視において前記燭台に対して重ならない位置に配設される（請求項２）。
【０００８】
好ましくは、前記加振器は、平面視において前記譜面台装置と前記燭台との中間位置に配設される（請求項３）。
【０００９】
好ましくは、受け持つ周波数帯域が前記響板とは異なっているスピーカ（Ｗｏ）が、前記響板より後方において前記楽器本体に配設される（請求項４）。
【００１０】
好ましくは、受け持つ周波数帯域が前記響板とは異なっているスピーカ（Ｗｏ）が、前記譜面台装置より後方において前記楽器本体に配設される（請求項５）。
【００１１】
上記目的を達成するために本発明の請求項６の電子鍵盤楽器は、鍵盤部（ＫＢ）が配設された楽器本体（３０）と、譜面板（６１）を有し、前記楽器本体において前記鍵盤部の押鍵部（ＫＢａ）よりも後方に配設された譜面台装置（６０）と、前記譜面台装置の左右少なくとも一側において前記楽器本体に配設された響板（３５Ｌ、３５Ｒ）と、前記響板に配設され、供給される楽音信号に従って前記響板を励振することで前記響板の振動による音響を発生させる加振器（ＴｒＬ、ＴｒＲ）と、前記楽音信号を前記加振器に供給する楽音信号供給手段（７１、１４）とを有することを特徴とする。
【００１２】
なお、上記括弧内の符号は例示である。
【発明の効果】
【００１３】
本発明の請求項１によれば、振動する響板の振幅が大きい箇所が譜面板で隠れないようにし、響板の放音が譜面板によって妨げられにくくして、放音効率を高めることができる。
【００１４】
請求項２によれば、振動する響板の振幅が大きい箇所が燭台で隠れないようにし、響板の放音が燭台によって妨げられにくくして、放音効率を高めることができる。
【００１５】
請求項３によれば、放音効率を一層高めることができる。
【００１６】
本発明の請求項６によれば、響板を譜面板で隠れない位置に配設し、響板の放音が譜面板によって妨げられにくくして、放音効率を高めることができる。
【発明を実施するための最良の形態】
【００１７】
以下、本発明の実施の形態を図面を参照して説明する。
【００１８】
図１（ａ）は、本発明の一実施の形態に係る電子鍵盤楽器の正面図である。この電子鍵盤楽器１００は、上部に、開閉可能な屋根板２５を有する。図１（ａ）では、屋根板２５が開けられた状態となっている。図１（ｂ）は、屋根板２５を取り外した状態の電子鍵盤楽器１００の平面図である。図１（ａ）、（ｂ）では、鍵盤部ＫＢを覆うための鍵盤蓋３６が開状態となっている。
【００１９】
図２は、電子鍵盤楽器１００の底面図である。図３（ａ）は、図１（ｂ）のＡ−Ａ線に沿う電子鍵盤楽器１００の楽器本体３０の断面図、図３（ｂ）は、図１（ｂ）のＢ−Ｂ線に沿う楽器本体３０の上部の断面図であり、それぞれ一部の構成要素の図示を省略している。
【００２０】
図１（ａ）、図２に示すように、楽器本体３０が、３本の脚部２１によって支持される。以降、上下方向については、電子鍵盤楽器１００が床面に載置されて演奏使用される状態を基準とし、左右方向については、奏者からみた方向を基準とする。前後方向については、楽器本体３０からみて奏者側が前側とする。図２は、図１に対して左右方向が逆転している。
【００２１】
図２、図３（ａ）に示すように、前側棚板３３と、それより後方の後側棚板３４とが楽器本体３０の底部を成している。前側棚板３３の左右と後側棚板３４の左右及び後部における各周囲の縁部ｂｒ（図２、図３（ａ）参照）から、左右の側板３１（３１Ｌ、３１Ｒ）と、側板３１Ｌ、３１Ｒの各後部を繋ぐ湾曲した形状の背板３２とが上方に立設されている。前板１０１が、側板３１Ｌ、３１Ｒに架け渡されている（図３（ａ）参照）。鍵盤蓋３６は、開状態において前板１０１と略平行に対向する。
【００２２】
楽器本体３０は、前板１０１と側板３１Ｌ、３１Ｒと背板３２とで周囲が囲まれ、前側棚板３３及び後側棚板３４で下方が囲まれ、楽器本体３０の平面視形状は、グランドピアノに近似している。鍵盤部ＫＢは、楽器本体３０における側板３１Ｌ、３１Ｒ間の最前部に配設される。下端部にペダルＰＤを有するペダルユニット２２が、前側棚板３３から垂下して設けられている（図１（ａ）参照）。鍵盤部ＫＢは、前側棚板３３の上に不図示の支持部材（スペーサや筬等）を介して配設される。
【００２３】
図３（ａ）に示すように、鍵盤部ＫＢは、ピン２６を中心に揺動するシーソー型の複数の白鍵及び黒鍵を有する。演奏時には、鍵盤部ＫＢにおける白鍵及び黒鍵の見えがかり部でもある押鍵部ＫＢａが押鍵操作される。押鍵部ＫＢａよりも後方であって鍵盤部ＫＢの後端部ＫＢｂの上方には、ハンマ体２７を各鍵毎に備えるハンマアクション機構部ＡＣＴが配設される。鍵盤部ＫＢ及びハンマアクション機構部ＡＣＴの基本的構成は、生のグランドピアノと同様である。
【００２４】
前側棚板３３の上に、複数の支柱部材１０２が立設されている。支柱部材１０２は、左右方向において適当な間隔で複数設けられる。そして、支柱部材１０２の上端に、橋渡しバー１０４が固定されている。橋渡しバー１０４は、その左右両端が側板３１Ｌ、３１Ｒに固定され、カバーと支柱部材１０２の補強の役割を兼ねる。支柱部材１０２には基部１０３が設けられ、基部１０３は、ハンマ体２７を回動自在に支持する。
【００２５】
図１（ａ）、図３（ａ）に示すように、背板３２の左半部の上端部には、金具等でなる取り付け部３７が２箇所に設けられ、これら取り付け部３７に蝶番付きの屋根板取付金具２３を介して屋根板２５が取り付けられている。そして、背板３２に対して屋根板２５が開閉自在になっている。屋根板２５は、支持棒２４にて開状態を維持される（図１（ａ）参照）。
【００２６】
図１（ｂ）、図３（ｂ）に示すように、前側の響板３５と、それより後方の板状の中板３８とが楽器本体３０の上部を成している。中板３８は、平面視でグランドピアノにおける響板のような形状をしている。響板３５は、その前端部３５ａは左右方向に平行であるが、後端部３５ｂは後方に凸のアーチ形状となっている。平面視における中板３８の前端部３８ａには響板嵌合用金具７４（図３（ｂ）参照）が取り付けられ、前端部３８ａと響板嵌合用金具７４とで、響板３５の後端部３５ｂに対応する凹形状が形成されている。
【００２７】
図１（ｂ）に示すように、響板３５の直上において、左右方向中央には譜面台装置６０が配設される。また、譜面台装置６０の左右両側であって響板３５の左右両端部の直上には、燭台３９Ｌ、３９Ｒが配設される。
【００２８】
中板３８は、側板３１Ｌ、３１Ｒ及び背板３２に対して固定される。響板３５は、側板３１に固定的にされた前側バー８１（後述）と中板３８とに対して固定される。譜面台装置６０、燭台３９Ｌ、３９Ｒは、側板３１に固定的にされた後側バー８２（後述）と前側バー８１とに対して固定される。中板３８、響板３５、譜面台装置６０、燭台３９の各固定態様の詳細は後述する。
【００２９】
響板３５の下面には、トランスデューサＴｒ（ＴｒＬ、ＴｒＲ）が配設されている（図１（ｂ）、図３（ａ）、（ｂ）参照）。トランスデューサＴｒＬ、ＴｒＲは、平面視において燭台３９、譜面台装置６０に対して重ならないように、それぞれ、燭台３９Ｌと譜面台装置６０との間、譜面台装置６０と燭台３９Ｒとの間に配置される（図１（ｂ）参照）。これらのトランスデューサＴｒは、供給される楽音信号により響板３５を加振（励振）することで、音響を発生させる。
【００３０】
また、前側棚板３３は、響板としても機能するように配設、構成される。前側棚板３３の左半部の下面には、左右２個の加振部ＡＣＳ（ＡＣＳ１、ＡＣＳ２）が配設される（図２、図３（ａ）参照）。これらの加振部ＡＣＳは、トランスデューサを有して構成され、前側棚板３３を加振（励振）することで、音響を発生させる。また、加振部ＡＣＳの振動は、図３（ａ）に矢印で経路を示したように、鍵盤部ＫＢの方向及びペダルユニット２２にも伝達され、奏者はそれを手や足で感じる。棚板を、前側棚板３３と後側棚板３４とに分けて構成し、加振部ＡＣＳを前側棚板３３に配設したことで、響板としての棚板を振動させるエネルギが小さくて済む。また、鍵盤部ＫＢや後述するスピーカボックス５０の配設も容易になっている。
【００３１】
図３（ａ）に示すように、響板３５よりも後方であって、楽器本体３０の主として後半部に、スピーカボックス５０が配設される。後側棚板３４が、スピーカボックス５０の底部を兼ねている。スピーカボックス５０は、中板３８によって上方が覆われている（図１（ｂ）参照）。図２に示すように、後側棚板３４のうちスピーカボックス５０の下部に相当する部分には、低音域用のスピーカである４つのウーハＷｏ（ＷｏＬ、ＷｏＣ、ＷｏＲ、ＷｏＢ）が下方に向けて配設されている。
【００３２】
一方、スピーカボックス５０の上部（主に上板５２）には、ウーハＷｏＬ、ＷｏＣ、ＷｏＲ、ＷｏＢに対応して、中音域用のスピーカである４つのスコーカＳｑ（ＳｑＬ、ＳｑＣ、ＳｑＲ、ＳｑＢ）、及び高音域用のスピーカである４つのツィータＴｗ（ＴｗＬ、ＴｗＣ、ＴｗＲ、ＴｗＢ）が、それぞれ上方に向けて配設されている。これらのスコーカＳｑ及びツィータＴｗは、図１（ｂ）に示すように、各々に対応して中板３８に設けられた貫通穴を通じて露出し、放音可能になっている。
【００３３】
従って、ウーハＷｏに対して、スコーカＳｑ及びツィータＴｗは反対方向を向いて配置されている。特に、図２に示すように、平面視乃至底面視においてウーハＷｏＬ、ＷｏＣ、ＷｏＲ、ＷｏＢに対して、スコーカＳｑＬ、ＳｑＣ、ＳｑＲ、ＳｑＢは、重なる部分を有する程度に、水平方向において近接して配置されている。トランスデューサＴｒＬ、ＴｒＲの左右方向における位置は、スコーカＳｑＬ、ＳｑＲとほぼ一致している（図１（ｂ）参照）。
【００３４】
ところで、スピーカボックス５０の上下方向中間かやや上方には、水平な仕切板５１が設けられ（図３（ａ）参照）、下側と上側とに空間が仕切られている。さらに、詳細は図示しないが、仕切板５１よりも下側の空間は、４つのウーハＷｏの各々用に空間が仕切られ、上側の空間は、４つのスコーカＳｑの各々用に空間が仕切られている。
【００３５】
図４は、楽器本体３０の響板３５が配設される部分を、響板３５を取り外して示した平面図である。図５（ａ）、（ｂ）は、それぞれ、図４のＣ−Ｃ線、Ｄ−Ｄ線に沿う楽器本体３０の上部の断面図であり、それぞれ一部の構成要素の図示が省略されている。図６は、楽器本体３０の前半部の左側部の内部を示す斜視図である。図６では、響板３５、中板３８、譜面台装置６０、燭台３９、後述する基板トレイ７０等が取り外された状態が示されている。
【００３６】
図４に示すように、側板３１Ｌ、３１Ｒ間には、それぞれ金属等の頑丈な素材でなる長尺の前側バー８１、後側バー８２が、左右方向に沿って平行に架け渡されている。前側バー８１、後側バー８２は、楽器本体３０を補強する補強材としての機能を果たすほか、自身を介して各種の構成要素を楽器本体３０に固定状態にする役割を果たす。
【００３７】
後側バー８２は、前側バー８１より後方且つやや下方に位置する（図５（ａ）、（ｂ）参照）。図６に示すように、前側バー８１の左端部８１ａは、側板３１Ｌの内側面に取り付けられた不図示の金具に対して被せられるように嵌合され、上側及び前側からネジ８３、８４で上記金具に締結されることで、側板３１Ｌに固定される。後側バー８２の左端部８２ａも同様にして側板３１Ｌに固定される。同様の態様で、バー８１、８２の各右端部８１ｂ、８２ｂ（いずれも図４参照）が側板３１Ｒに固定される。ただし、バー８１、８２は、楽器本体３０に対して固定されればよく、その固定態様は問わない。
【００３８】
図４、図６に示すように、前側バー８１の後方位置において、側板３１Ｌ、３１Ｒに、燭台受け部８５が取り付けられ、燭台受け部８５の直上においては、側板３１Ｌ、３１Ｒに位置決め穴８６が設けられている。燭台受け部８５より後方で後側バー８２より前方且つ上方位置において、側板３１Ｌ、３１Ｒに、Ｌ字状の中板固定金具８７が取り付けられている。また、後側バー８２より後方且つ上方位置において、側板３１Ｌ、３１Ｒに中板仮受け部８８が取り付けられている（図３（ａ）も参照）。
【００３９】
また、図３（ａ）に示すように、ハンマアクション機構部ＡＣＴの直上において、センサ取り付け用バー２８が左右方向に沿って設けられる。センサ取り付け用バー２８は、側板３１Ｌ、３１Ｒ間に架け渡されている（図６参照）。センサ取り付け用バー２８には、不図示の押鍵センサが取り付けられ、対応するハンマ体２７の動作を光学的に検出することで、対応する鍵の動作を間接的に検出する。
【００４０】
図３（ｂ）に示すように、背板３２の内側面には、複数の金具９０が取り付けられ、金具９０の前方に延出した部分を上下から覆うように、ゴム等の弾性材９１が各々装着されている。背板３２に対応する中板３８の後縁部３８ｂは、これら複数の金具９０と背板３２とで形成される側面視コ字状部分に、弾性材９１を介して圧入嵌合されている。一方、中板３８の前端部３８ａの左右端部が、中板固定金具８７（図４、図６参照）に前方からネジ止め固定される。中板３８を楽器本体３０に取り付ける際には、中板仮受け部８８の上に中板３８を載せて後方にスライドさせ、中板３８の後縁部３８ｂを上記のように金具９０に嵌合する。その後、中板固定金具８７に対して中板３８の前端部３８ａの左右端部をネジ止めする。中板３８は、スピーカボックス５０等の、楽器本体３０の内部の目隠しと楽器本体３０の補強の機能とを兼ねている。
【００４１】
図３（ｂ）、図４に示すように、中板３８の前端部３８ａの下面３８ａａには、複数箇所（例えば６箇所）において、響板嵌合用金具７４がネジ止めで取り付けられている。各響板嵌合用金具７４は、金具９０と同様に、前方に延出する部分を有し、下面３８ａａと共に、側面視において前方に開口した凹部であるコ字状部９２を形成している。そして、上記前方に延出する部分を上下から覆うようにゴム等の弾性材８９が各々装着されている。一方、前側バー８１の上面には、複数箇所（例えば６箇所）において、響板固定用金具７２が、ネジ止めで固定されている（図４参照）。
【００４２】
響板３５の後端部３５ｂは、コ字状部９２である、中板３８の前端部３８ａの下面３８ａａと響板嵌合用金具７４との間に圧入状態で嵌合保持され、特に響板嵌合用金具７４に対しては弾性材８９を介して接している。従って、響板３５は振動しやすい状態に保持される。後端部３５ｂが中板３８で隠れるので、見栄えが向上している。響板３５の前端部３５ａは、響板固定用金具７２に固定される。
【００４３】
響板３５を配設する際には、響板３５の前端部３５ａを響板固定用金具７２の上に載せて響板３５を後方にスライドさせ、後端部３５ｂをコ字状部９２に圧入嵌合する。その後、前端部３５ａに取り付けられた不図示の金具を、響板固定用金具７２に対して螺着固定する。
【００４４】
図４、図５（ａ）に示すように、前側バー８１及び後側バー８２間には、基板トレイ７０が架け渡されて配設される。基板トレイ７０は、配設状態において側面視で上方に開口したコ字状部分と、該コ字状部分から前後に延設されたツバ部７０ａ、７０ｂとを有する。基板トレイ７０のコ字状部分の底面の上には、複数の回路基板７１が配設されている。そのうち一部の回路基板７１は、楽音を電子的に発生させるための処理を行う機能を有する。基板トレイ７０乃至回路基板７１は、ハンマアクション機構部ＡＣＴよりも上方に位置し（図３（ａ）参照）、メンテナンス容易な位置で且つスペースを有効に利用できる位置に配置されている。すなわち、響板３５は、生のグランドピアノにおける響板に比べれば小さく軽いので、着脱も比較的容易であることから、響板３５を取り外せば回路基板７１に対する作業が可能になる。
【００４５】
図４に示すように、基板トレイ７０は、金属等の剛性の高い素材で一体に形成され、左右方向の長さが、側板３１Ｌ、３１Ｒ間に亘る長さよりやや短い。ツバ部７０ａ、７０ｂは、それぞれ後述する譜面台支持用ブリッジ６６、２つの燭台用ブリッジ７７が取り付けられる位置を避けるほか、ツバ部７０ａにあっては、響板固定用金具７２が取り付けられる位置を避けて、それぞれ左右方向において複数に分断された形で形成される。
【００４６】
ツバ部７０ａ、７０ｂが、前側バー８１、後側バー８２の各上面に対して複数のネジ７６（図４参照）で締結されることで、基板トレイ７０が配設される。詳細には、ツバ部７０ｂについては、締結用穴７０ｃ１を介して、後側バー８２の締結用穴８２ｃに対して、ネジ７６で螺着される（図５参照）。締結用穴８２ｃはそれ自体がネジ穴であってもよい。ツバ部７０ａについても締結部分の構成は同様である。
【００４７】
ところで、配設状態における基板トレイ７０の後部の、ツバ部７０ｂに連接している鉛直部分には、立設時締結用穴７０ｃ２が形成されている（図５（ａ）参照）。基板トレイ７０は、図５（ａ）に仮想線で示すように、ツバ部７０ａ、ツバ部７０ｂがそれぞれ上側、下側となるように立てられた状態で、ツバ部７０ｂが立設時締結用穴７０ｃ２を介して後側バー８２の締結用穴８２ｃに対してネジ７６で螺着されることで、立てられた状態で後側バー８２のみに固定状態にすることが可能である。これにより、基板トレイ７０より下方の、楽器本体３０の内部のメンテナンスを容易にする。しかも、締結用穴８２ｃとネジ７６とは、基板トレイ７０の正規の配設用と、メンテナンス時の立設用とに兼用されるので、構成の複雑化が抑制される。なお、基板トレイ７０の姿勢を、起立状態と配設時の傾倒状態とに切り替える場合は、譜面台支持用ブリッジ６６、燭台用ブリッジ７７を取り外した状態で行う必要がある。
【００４８】
響板３５は、基板トレイ７０乃至回路基板７１を上方から覆うように配設されるので、回路基板７１の上方スペースが有効利用されると共に、響板３５が回路基板７１を覆う蓋を兼ねることができる。
【００４９】
図４、図５（ａ）に示すように、金属製等の２本の燭台用ブリッジ７７が、前側バー８１と後側バー８２との間に架け渡されて配設される。左右の燭台用ブリッジ７７は、それぞれ燭台３９Ｌ、３９Ｒをバー８１、８２に固定するためのものであり、両者は左右対称である。そこで、代表して燭台３９Ｌの固定態様及び左側の燭台用ブリッジ７７の構成を説明する。
【００５０】
燭台用ブリッジ７７は、前後方向に長く、左右の縁部が上方に屈曲形成されている。この屈曲形成された右側の片部の前部に突片７８Ａが、左側の片部の後部に突片７８Ｂが、それぞれが一体に上方に突設形成されている。突片７８（７８Ａ、７８Ｂ）の各上端には、左右方向に貫通した締結用穴７８ａＡ、７８ａＢがそれぞれ形成されている（図５（ａ）参照）。
【００５１】
一方、響板３５には、突片７８Ａ、７８Ｂに対応する位置に逃げ部である貫通穴３５ｃ２が形成されている（図１（ｂ）、図５（ａ）参照）。そして、燭台用ブリッジ７７及び響板３５の配設状態においては、貫通穴３５ｃ２を突片７８Ａ、７８Ｂが貫通し、締結用穴７８ａＡ、７８ａＢが響板３５の上方に露出している。燭台３９Ｌの右端部には、締結用穴７８ａＡ、７８ａＢに対応する穴を有する金具が取り付けられており、この金具の穴に締結用穴７８ａＡ、７８ａＢを介してネジ止めすることで、突片７８Ａ、７８Ｂの上部に対して燭台３９Ｌが固定される。
【００５２】
燭台３９Ｌを配設するには、まず、響板３５が配設された状態で、燭台受け部８５（図４、図６参照）の上に燭台３９Ｌを載置して側板３１Ｌに移動させ、燭台３９Ｌの左端面に突設された不図示の位置決めピンを、側板３１Ｌの位置決め穴８６に嵌入させる。位置決め穴８６により燭台３９Ｌの前後及び上下方向の位置が規制される。そして、上記したように燭台３９Ｌの右端部と突片７８Ａ、７８Ｂとを締結用穴７８ａＡ、７８ａＢを介して右方から螺合締結する。貫通穴３５ｃ２を突片７８Ａ、７８Ｂが貫通し、響板３５から浮いた状態で、響板３５の上面に近接対向するように燭台３９Ｌが配設される（図５（ａ）参照）。従って、燭台３９を配設する上で、響板３５が燭台３９や燭台用ブリッジ７７と接触しないようにでき、響板３５の振動が妨げられることがない。
【００５３】
ところで、響板３５は、配設された状態において、その上面が中板３８の下面３８ａａに近接対向するため（図３（ｂ）参照）、中板３８に対して１段下がった段差部が形成される。従って、この段差部において、響板３５の上に燭台３９が配設されることになる。これにより、響板３５の上方のスペースを有効利用して燭台３９を配設し、楽器高さを抑えることができる。しかも、燭台３９の上面は中板３８の上面と面一になっていて（図５（ａ）参照）、外観が向上している。
【００５４】
図４、図５（ｂ）に示すように、金属製等の譜面台支持用ブリッジ６６が、前側バー８１と後側バー８２との間に架け渡されて配設される。譜面台支持用ブリッジ６６は、その前後の端部がバー８１、８２の左右方向の各中間位置に固定される。譜面台支持用ブリッジ６６の前後方向のほぼ中間部には、箱形の収容部６９が設けられ、収容部６９内に、譜面台起立機構部６５が配設収容される。
【００５５】
ところで、図４に示すように、トランスデューサＴｒＬ、ＴｒＲは、平面視において隣接する響板嵌合用金具７４の間に配設され、左右方向において響板嵌合用金具７４の位置と重なっていない。これによっても、響板３５が振動しやすくなっている。
【００５６】
図５（ｂ）に示すように、譜面台装置６０は、上記した譜面台支持用ブリッジ６６によって支持される。譜面台装置６０には、譜面板６１、譜面受け６２及び譜面台起立機構部６５が含まれる。譜面台起立機構部６５には、支持棒６８と案内溝が含まれる。支持棒６８の前側上端部は、傾倒状態において下側となる譜面板６１の裏面に回動自在に固定され、支持棒６８の後側下端部は、譜面台起立機構部６５に形成された案内溝に係合している。
【００５７】
傾倒状態の譜面板６１の前端部には、蝶番６３の一方の片が取り付けられ、蝶番６３の他方の片が、響板３５の前端部３５ａの逃げ部を下方に貫通している。これにより、譜面板６１は、前後乃至上下方向に回動自在になっている（図１（ｂ）も参照）。また、譜面板６１は、支持棒６８を介して収容部６９によって支持され、傾倒状態においては、響板３５の上面に平行に近接対向している。
【００５８】
図１（ｂ）、図５（ｂ）では、譜面板６１が傾倒状態となっている。譜面台起立機構部６５において、譜面板６１を前方に起立方向に回動操作すると、支持棒６８の後側下端部が譜面台起立機構部６５の案内溝に沿って移動し、適当な角度の状態で回動を戻すと案内溝の途中のストッパでその角度が維持される。再び起立方向に少し回動操作してから戻すと、ストッパとの係合が解けて譜面板６１が元の傾倒状態に復帰する。
【００５９】
ところで、収容部６９自体は響板３５の下方に配置され、支持棒６８が、譜面台起立機構部６５と譜面板６１とを実質的に連結している。そのため、図５（ｂ）に示すように、響板３５には、支持棒６８が変位可能に貫通する貫通穴３５ｃ１が形成されている（図１（ｂ）も参照）。貫通穴３５ｃ１内には、環状のゴム材６４が介装されていて、実質的には、ゴム材６４の内側部６４ａを支持棒６８が貫通している。支持棒６８は、譜面板６１の傾倒から起立までの全行程において干渉が少なくなるようにゴム材６４が設けられている。これにより、響板３５の振動を妨げることなく譜面台装置６０を配設することができる。
【００６０】
譜面台装置６０の譜面板６１は、傾倒状態においては、響板３５における中板３８に対して１段下がった段差部において、響板３５の上に位置することになる。これにより、響板３５の上方のスペースを有効利用して譜面台装置６０を配設し、楽器高さを抑えることができる。しかも、傾倒状態の譜面台装置６０の上面（表面）は中板３８の上面と面一になっていて、外観が向上している。
【００６１】
バー８１、８２に固定される上記説明した主要構成要素の配設順序としては、まず、基板トレイ７０を配設し、次に、譜面台支持用ブリッジ６６及び燭台用ブリッジ７７を配設する。次に、響板３５を配設した後、燭台３９及び譜面台装置６０を配設する。
【００６２】
なお、上記した各箇所の締結部分の構成については、特に限定するものではなく、締結部と締結具との組み合わせとした場合でも、締結用穴とネジとの組み合わせに限られるものではない。なお、譜面台装置６０の譜面板６１や燭台３９に多数の透孔を形成し、放音効率を高めるようにしてもよい。
【００６３】
図７は、電子鍵盤楽器１００の機能構成を示すブロック図である。電子鍵盤楽器１００は、上記した鍵盤部ＫＢのほか、操作子群１６、ペダルＰＤ、各種Ｉ／Ｆ（インターフェイス）１７、メインＣＰＵ１１、ＤＳＰ１２、分配部１４、音響発生部１５を有する。メインＣＰＵ１１には、ＤＳＰ１２、分配部１４が接続されている。メインＣＰＵ１１、ＤＳＰ１２、分配部１４は、電子楽音発生用の回路基板７１に搭載される。
【００６４】
鍵盤部ＫＢの鍵の操作情報は、上記したセンサ取り付け用バー２８に設けた不図示の押鍵センサによって検出される。操作子群１６、ペダルＰＤは、それぞれ、図示しない操作検出部で各々の操作状態が検出される。これらの検出情報は、メインＣＰＵ１１及びＤＳＰ１２に供給される。
【００６５】
操作子群１６には、全体音量操作子、効果用操作子、機器設定操作子等の各種操作子が含まれる。各種Ｉ／Ｆには、ＭＩＤＩインターフェイス、有線または無線の通信インターフェイス等が含まれる。メインＣＰＵ１１は、図示はしないが、ＲＯＭ、ＲＡＭ、タイマ等を有する。ＤＳＰ１２は、不図示のＣＰＵ、記憶部のほか、波形メモリ１３を有する。波形メモリ１３には、波形データ群ｄ（ｄＬ、ｄＣ、ｄＲ、ｄＢ）が予め記憶されている。音響発生部１５には、上記したすべてのウーハＷｏ、スコーカＳｑ及びツィータＴｗ、トランスデューサＴｒ、加振部ＡＣＳのほか、アンプも含まれる。
【００６６】
４種類の波形データ群ｄＬ、ｄＣ、ｄＲ、ｄＢは、それぞれ、グランドピアノ等の楽音波形をサンプリングして生成された１発音分のサンプリング波形データの集まりであり、音量エンベロープを有したものとする。波形データ群ｄの基となる上記楽音波形は、生のグランドピアノにおける楽音を、上記４つのスコーカＳｑに対応する各位置で録音して取得した音に基づいて得られたものである。
【００６７】
これらサンプリング音源である波形データ群ｄＬ、ｄＣ、ｄＲ、ｄＢは、それぞれ、音高（鍵）毎、且つ、複数段階（例えば、８段階）の押鍵ベロシティ毎に設けられる。なお、音高毎でなく、複数に分けた音域毎に設けてもよい。また、複数種類の音色を発音可能に構成する場合は、音色毎に各波形データ群ｄ（図８参照）を設ければよい。また、ペダルＰＤの踏み込み深さ（例えば、２段階または３段階）毎に各波形データ群ｄを設けてもよい。
【００６８】
波形データ群ｄＬ、ｄＣ、ｄＲ、ｄＢは、ウーハＷｏＬ、ＷｏＣ、ＷｏＲ、ＷｏＢでそれぞれ発音させるためと、スコーカＳｑＬ、ＳｑＣ、ＳｑＲ、ＳｑＢでそれぞれ発音させるためと、ツィータＴｗＬ、ＴｗＣ、ＴｗＲ、ＴｗＢでそれぞれ発音させるためのデータである。また、波形データ群ｄＬ、ｄＣはトランスデューサＴｒＬ及び加振部ＡＣＳ１、ＡＣＳ２で発音させるためのデータでもある。また、波形データ群ｄＣは加振部ＡＣＳ２で、波形データ群ｄＣ、ｄＲはトランスデューサＴｒＲで、それぞれ発音させるためのデータでもある。ただし、このような対応関係に限定する必要はない。
【００６９】
鍵盤部ＫＢのある１つの鍵が押鍵されたとき、ＤＳＰ１２は、その鍵の音高と押鍵ベロシティが属する段階とに対応する波形データを、波形データ群ｄＬ、ｄＣ、ｄＲ、ｄＢからそれぞれ１つずつ選択する。そして、選択した波形データから波形信号を生成してそれを分配部１４に送る。
【００７０】
分配部１４においては、送られた波形信号を、アナログの楽音信号に変換する。そして、ウーハＷｏ、スコーカＳｑ、ツィータＴｗ、トランスデューサＴｒ、加振部ＡＣＳのうち、波形データ群ｄＬ、ｄＣ、ｄＲ、ｄＢに基づく楽音信号毎に予め設定された供給先に、各楽音信号を供給する。
【００７１】
ここで、ウーハＷｏとトランスデューサＴｒによって励振される響板３５とは、それぞれが受け持つ周波数帯域が異なっており、それぞれの周波数帯域の中心周波数は、例えば、２００Ｈｚ、２０００Ｈｚであって、ウーハＷｏの方が低い。
【００７２】
本実施の形態によれば、響板３５の後端部３５ｂが、中板３８の前端部３８ａのコ字状部９２に弾性材８９を介して圧入保持されるので、後端部３５ｂに関しては、響板３５を後方に移動させるだけで組み付けすることができる。従って、振動しやすい状態で楽器本体３０に取り付ける作業を簡単にすることができる。なお、響板３５を振動しやすい状態で且つ配設を容易にする観点に限れば、後端部３５ｂに代えて前端部３８ａを、弾性材を介して、楽器本体３０に対して固定的な部分（前側バー８１等）に圧入保持されるように構成してもよい。
【００７３】
本実施の形態によればまた、電子楽音発生用の回路基板７１を保持する基板トレイ７０が、ハンマアクション機構部ＡＣＴの上方に配置されたので、メンテナンス容易な位置で且つスペースを有効に利用できる位置に回路基板７１を配設することができる。
【００７４】
また、基板トレイ７０が、バー８１、８２間に架け渡されているので、基板トレイ７０が、回路基板７１の保持と前後２本のバー８１、８２の補強とを兼ねることができる。同様に、譜面台装置６０を支持する譜面台支持用ブリッジ６６、燭台３９を支持する燭台用ブリッジ７７が、いずれもバー８１、８２間に架け渡されているので、これらも、譜面台装置６０、燭台３９の支持の機能と、前後２本のバー８１、８２の補強とを兼ねることができる。
【００７５】
本実施の形態によればまた、トランスデューサＴｒＬ、ＴｒＲの、響板３５における配設位置は、平面視において、譜面台装置６０の譜面板６１に対して重ならない位置であり、しかも、燭台３９Ｌ、３９Ｒに対しても重ならない位置である（図１（ｂ）参照）。これにより、振動する響板３５の振幅が大きい箇所が譜面板６１や燭台３９で隠れないようにし、響板３５の放音が譜面板６１や燭台３９によって妨げられにくくして、放音効率を高めることができる。
【００７６】
特に、譜面台装置６０の譜面板６１に関しては、演奏のための立設時を含む、傾倒から立設までの全行程において、平面視でトランスデューサＴｒが譜面板６１に重ならない。従って、譜面板６１の使用時／非使用時にかかわらず、響板３５の放音が譜面板６１によって妨げられにくい。
【００７７】
また、左右方向において、トランスデューサＴｒＬ、ＴｒＲは、燭台３９Ｌの右端と譜面板６１の左端との中間位置、譜面板６１の右端と燭台３９Ｒの左端との中間位置にそれぞれ位置するので、放音効率を一層高めることができる。
【００７８】
本実施の形態によればまた、ハンマアクション機構部ＡＣＴ、回路基板７１、燭台用ブリッジ７７、燭台３９が、下から順に積層状態となっており、これらが、高さ方向において、前側棚板３３から側板３１の上端乃至背板３２の上端までの範囲内に配設されている。また、ハンマアクション機構部ＡＣＴ、「保持部」である前側バー８１及び後側バー８２、回路基板７１についても、同じ範囲内に配設されている。このような立体的で効率の良い配設構造によって、スペースを有効に利用して、コンパクトにすることができる。
【００７９】
なお、トランスデューサＴｒは、平面視において譜面板６１や燭台３９を避けた位置に配置すればよく、響板３５の上面側に配置してもよい。また、響板３５の形状を変更した場合は、譜面板６１の前または後ろに配設してもよい。
【００８０】
さらに、振動する響板３５の振幅が大きい箇所が譜面板６１等を避けるように構成するという観点に限れば、次のような変形例が考えられる。
【００８１】
図８は、変形例に係る、屋根板２５を取り外した状態の電子鍵盤楽器１００の平面図である。この変形例では、燭台３９Ｌ、３９Ｒを廃止すると共に、響板３５に代えて左右２つに分離して響板３５Ｌ、３５Ｒを設ける。響板３５Ｌ、３５Ｒは、譜面台装置６０の傾倒状態の譜面板６１に対して重ならないように、譜面板６１の左右両側に配設される。そして、響板３５Ｌ、３５Ｒの下面に、それぞれトランスデューサＴｒＬ、ＴｒＲを配設する。その他の構成は、図１〜図７の例と同様である。
【００８２】
この変形例によれば、響板３５Ｌ、３５Ｒ自体を譜面板６１によって隠れないような位置に配設することで、響板３５Ｌ、３５Ｒの放音が譜面板６１によって妨げられにくくして、放音効率を高めることができる。
【００８３】
なお、この変形例において、響板３５は、譜面板６１の左右いずれか一側に設けてもよい。また、仮に、燭台３９を設けた場合であっても、平面視において譜面板６１及び譜面板６１を避けた範囲で響板３５を配設すれば、同様の効果は得られる。
【００８４】
なお、メンテナンス容易な位置で且つスペースを有効に利用できる位置に回路基板７１を配設することに限れば、回路基板７１を保持する「保持部」は、前側バー８１及び後側バー８２に限られず、楽器本体３０に対して固定的な部分であればよく、楽器本体３０に対する保持部の固定態様は問わない。従って、例えば、前板１０１を保持部とし、前板１０１に回路基板７１を保持させてもよい。また、回路基板７１は、上記保持部に対して、直接または間接的に保持されるように構成すればよい。
【００８５】
あるいは、図９に変形例を示すように、前側バー８１及び後側バー８２に代わる部材を楽器本体３０に対して固定し、その部材に回路基板７１を保持させてもよい。
【００８６】
図９は、変形例に係る、楽器本体３０の前半部の断面図である。橋渡しバー１０４の上には前側取り付け部材１０５が固定される。センサ取り付け用バー２８の上には、後ろ取り付け部材１０６が固定される。前側取り付け部材１０５と取り付け部材１０６は、それぞれ、左右方向に適当な間隔で複数設けられる。そして、前側取り付け部材１０５と取り付け部材１０６との上に、側板３１Ｌ、３１Ｒ間に亘る第２棚板１０７が水平に配設固定される。回路基板７１は、配設状態の図示はしないが、第２棚板１０７の上に配設固定される。この構成の場合は、前側取り付け部材１０５と取り付け部材１０６（乃至第２棚板１０７を含めたもの）が保持部となるが、この保持部に対して、回路基板７１は、直接に限らず、間接的に配設してもよい。
【００８７】
橋渡しバー１０４及びセンサ取り付け用バー２８は、バー８１、８２と同様に、楽器本体３０を補強する機能を有している。ところで、前側取り付け部材１０５と取り付け部材１０６はいずれも、鍵盤部ＫＢと回路基板７１との配線や、回路基板７１における基板同士の配線処理において、束線を止める添え木としての機能も果たすことができる。
【００８８】
ところで、図９の構成においては、燭台用ブリッジ７７、譜面台支持用ブリッジ６６については、バー８１、８２に代えて、橋渡しバー１０４及びセンサ取り付け用バー２８に架け渡してもよい。
【００８９】
なお、楽音信号のソースとしての波形データ群ｄは、電子鍵盤楽器１００に記憶されていなくてもよく、外部装置から読み出されるものであってもよい。また、ソースとなるものの形式は、波形データ群ｄの形式に限られない。
【００９０】
なお、楽音の発生は、鍵盤部ＫＢの押鍵操作だけでなく、予め記憶あるいは外部から入力される、ＭＩＤＩ等でなる自動演奏データに基づいてなされるように構成してもよい。その場合は、順次読み出される自動演奏データ中の音高や押鍵ベロシティ等の情報に基づいて、波形データ群ｄＬ、ｄＣ、ｄＲ、ｄＢから波形データの選択がなされ、上記したのと同様の処理がなされる。
【図面の簡単な説明】
【００９１】
【図１】本発明の一実施の形態に係る電子鍵盤楽器の正面図（図（ａ））、屋根板を取り外した状態の電子鍵盤楽器の平面図（図（ｂ））である。
【図２】電子鍵盤楽器の底面図である。
【図３】図１（ｂ）のＡ−Ａ線に沿う電子鍵盤楽器の楽器本体の断面図（図（ａ））、図１（ｂ）のＢ−Ｂ線に沿う楽器本体の上部の断面図（図（ｂ））である。
【図４】楽器本体の響板が配設される部分を、響板を取り外して示した平面図である。
【図５】図４のＣ−Ｃ線、Ｄ−Ｄ線に沿う楽器本体の上部の断面図（図（ａ）、（ｂ））である。
【図６】楽器本体の前半部の左側部の内部を示す斜視図である。
【図７】電子鍵盤楽器の機能構成を示すブロック図である。
【図８】変形例に係る、屋根板を取り外した状態の電子鍵盤楽器の平面図である。
【図９】変形例に係る、楽器本体の前半部の断面図である。
【符号の説明】
【００９２】
１４  分配部（楽音信号供給手段）、  ３０  楽器本体、  ３５、３５Ｌ、３５Ｒ  響板、  ３９  燭台、  ６０  譜面台装置、  ６１  譜面板、  ７１  回路基板（楽音信号供給手段）、  １００  電子鍵盤楽器、  ＫＢ  鍵盤部、  ＫＢａ  押鍵部、  Ｗｏ  ウーハ（スピーカ）、  ＴｒＬ、ＴｒＲ  トランスデューサ（加振器）
【図１】
2010145601.tif 000003
【図２】
2010145601.tif 000004
【図３】
2010145601.tif 000005
【図４】
2010145601.tif 000006
【図５】
2010145601.tif 000007
【図６】
2010145601.tif 000008
【図７】
2010145601.tif 000009
【図８】
2010145601.tif 000010
【図９】
2010145601.tif 000011